(57)【要約】      （修正有）【課題】柔らかいスカーフに適した柔らかい留め具を使用し、見栄えが良く仕上がり、しかも容易に着脱することのできるスカーフを提供する。【解決手段】長方形のスカーフ本体２と、スカーフ本体２の長手方向両端部を絞るようスカーフ本体２に巻き付けられる一対の巻き付け部材３と、平坦に形成された巻き付け部材３の一方の面に取り付けられる円形の面ファスナー４と、を備え、スカーフ本体２を首に巻き付けたのち、一対の巻き付け部材３同士を面ファスナー４により連結し着用する。【選択図】図２
0003221496.tif 000002
【実用新案登録請求の範囲】
【請求項１】
長方形のスカーフ本体と、
前記スカーフ本体の長手方向両端部を絞るよう前記スカーフ本体に巻き付けられる一対の巻き付け部材と、
平坦に形成された前記巻き付け部材の一方の面に取り付けられる円形の面ファスナーと、
を備え、
前記スカーフ本体を首に巻き付けたのち、前記一対の巻き付け部材同志を前記面ファスナーにより連結することで着用することを特徴とするスカーフ。
【請求項２】
前記巻き付け部材は、前記面ファスナーが取付けられる面の裏側の面に飾り物が取付けられることを特徴とする、
請求項１に記載されたスカーフ。
【考案の詳細な説明】
【技術分野】
【０００１】
本考案は、慣れない人あるいは高齢者であっても、簡単かつ素早く着脱できるスカーフの技術に関する。
【背景技術】
【０００２】
従来から、装飾を目的として、あるいは防寒を目的として、首に巻いて着用するスカーフが知られている。スカーフを首に巻いておくだけでは、歩行中や姿勢を変えたりしたときにスカーフが首からずり落ちてしまうので、着用した際にスカーフの左右両端を結ぶことが多い。また、着用後スカーフの両端を留めリング、クリップあるいはピンを用いてスカーフの両端を留めることも行われている。
【０００３】
ところが、スカーフの左右両端を結んで美しい結び目を作るには熟練を要する。また、スカーフの端を留めリングに通すのも容易ではない。そのため、結ぶのと留めリングは、スカーフの着用に慣れない人や、高齢者には面倒で手間がかかるものであった。一方、クリップあるいはピンを用いてスカーフの両端を留める方法は、薄い生地では穴が開いたり、糸つりを起こしたりして生地を損傷する恐れがあった。
【０００４】
そこで、首に巻いたとき左右両端部が交差する部分に絞り部を設け、当該絞り部に面ファスナーを取り付け、着脱の際にワンタッチで面ファスナーを開閉するストールが提案されている（特許文献１）。
【０００５】
また、長手方向両端部近くの部分を絞ったうえでマグネット留め具のついた部材を固定し、着脱の際にワンタッチでマグネット留め具を係脱するスカーフが提案されている（特許文献２）。
【先行技術文献】
【特許文献】
【０００６】
【特許文献１】実用新案登録第３１５７２６８号公報
【特許文献２】実用新案登録第３２０１３９３号公報
【考案の概要】
【考案が解決しようとする課題】
【０００７】
しかし、特許文献１に記載のストールは、幅方向に縮むギャザー（縮めたひだ）となった絞り部に直接に面ファスナーを取り付けるものであるため、うまくストールの布地に面ファスナーを取り付けることができない。糸を用いて無理やり縫い付けることも可能であるが、見栄えが悪くなってしまう。
【０００８】
一方、特許文献２に記載のスカーフは、スカーフの絞った部分にマグネット留め具のついた部材を取り付けるので、特許文献１のものに比べると絞り部にマグネットが小ぎれいに取り付けられるものの、柔らかいスカーフに硬いマグネット留め具の使用はファッション性の高いスカーフには違和感が残るものであった。
【０００９】
そこで、本考案は、柔らかいスカーフに適した柔らかい留め具を使用し、見栄えが良く仕上がり、しかも容易に着脱することのできるスカーフを提案する。
【課題を解決するための手段】
【００１０】
第１の考案に係るスカーフは、長方形のスカーフ本体と、前記スカーフ本体の長手方向両端部を絞るよう前記スカーフ本体に巻き付けられる一対の巻き付け部材と、平坦に形成された前記巻き付け部材の一方の面に取り付けられる円形の面ファスナーと、を備え、前記スカーフ本体を首に巻き付けたのち、前記一対の巻き付け部材同志を前記面ファスナーにより連結することで着用することを特徴とする。
【００１１】
第１の考案に係るスカーフは、面ファスナーが取り付けられた巻き付け部材でスカーフ本体の長手方向両端部を絞るよう巻き付けるようにしたので、柔らかいスカーフに適した柔らかい留め具となり、見栄えが良く仕上げることができる。また、一対の巻き付け部同士を面ファスナーにより連結するので、容易に着脱できる。さらに、円形の面ファスナーであるので、巻き付け部同士の角度に関係なく一定の接着力を得られる。
【００１２】
第２の考案に係るスカーフは、請求項１に記載された構成に加えて、前記巻き付け部材は、前記面ファスナーが取付けられる面の裏側の面に飾り物が取付けられることを特徴とする。
【００１３】
第２の考案に係るスカーフは、巻き付け部材の面ファスナーが取付けられる面の裏側の面に飾り物が取付けられることで、着用時のファッション性が向上する。
【考案の効果】
【００１４】
本考案のスカーフによれば、柔らかいスカーフに適した柔らかい留め具が使用され、見栄え良く仕上がり、容易に着脱することができる。
【図面の簡単な説明】
【００１５】
【図１】本考案の実施の形態に係るスカーフの全体図である。
【図２】本考案の実施の形態に係るスカーフの端部詳細図である。
【図３】図２のＡ−Ａ断面詳細図であって、スカーフ本体の絞り部の断面詳細図である。
【図４】本考案に係るスカーフ着用時の説明図である。
【考案を実施するための形態】
【００１６】
図１は、本考案の実施の形態に係るスカーフ１の全体図である。スカーフ１は長方形の生地から構成されるスカーフ本体２と、スカーフ本体２の長手方向両端部の絞り部８を絞るようスカーフ本体２に取り付けられる一対の巻き付け部材３を備えている。
【００１７】
スカーフ本体２は、綿、麻、絹、ポリエステル、ウール等の素材からなる薄手の布により構成される。これらの素材に対しては、ＵＶ加工（紫外線遮蔽加工）が施されてもよい。また、適宜スカーフ本体２には機織りによる模様、あるいは染色による模様が施される。さらに、スカーフ本体２には伸縮性を持つ布が使用される場合もある。
【００１８】
図２は、本考案の実施の形態に係るスカーフ１の端部詳細図である。図２（ａ）に示されるように、平坦に形成された巻き付け部材３の一方の面５には円形の面ファスナー４が取付けられている。
【００１９】
図２（ｂ）は、図２（ａ）に示したスカーフ１の端部の裏側の詳細図である。巻き付け部材３の裏側の面６には飾り物７が取付けられている。飾り物７としては、刺繍によるもの、布を花などの形に形成したもの、ビーズ玉等が使用される。
【００２０】
図３は、図２（ａ）のＡ−Ａ断面詳細図であって、スカーフ本体２の絞り部８の断面詳細図である。巻き付け部材３は、絞られたスカーフ本体２の周囲を取り囲んでいる。また、巻き付け部材３は、全体としてほぼ平坦となるよう形成されている。巻き付け部材３の素材は、スカーフ本体２と同じ素材の布を使用しても良いし、別の素材の布を使用しても良い。また、布以外の樹脂等の軟らかい素材であっても良い。
【００２１】
図３に示されるように、巻き付け部材３の一方の面５には面ファスナー４が取付けられている。また、巻き付け部材３の裏側の面６には飾り物７が取付けられている。
【００２２】
本考案のスカーフ１は、面ファスナー４が取り付けられた巻き付け部材３でスカーフ本体２の長手方向両端部を絞るよう巻き付けるようにしたので、柔らかいスカーフ１の素材に適した柔らかい構造となっている。そのため、スカーフ１の使用時に違和感が生じない。また、スカーフ１全体の見栄えが良くなるよう仕上げることができる。さらに、巻き付け部材３の面ファスナー４が取付けられる一方の面５の裏側の面６に飾り物７が取付けられることで着用時のファッション性が高まる。
【００２３】
図４は、本考案に係るスカーフ１着用時の説明図である。図４（ａ）は、スカーフ１を首１０に巻いて着用した人物１０を正面から見た図である。また、図４（ｂ）は、その時の人物１０を背後から見た図である。図４に示したスカーフ１の着用例では、スカーフ本体２を首１０に２回巻き付けている。なお、図１に示したスカーフ本体１の長手方向の長さは自由に設定可能である。さらに、スカーフ１の着用の仕方もその時の衣服とのコーディネート、着用する人物１０の好みにより、種々の着用方法が可能である。
【００２４】
図４（ｂ）に示されるように、巻き付け部材３を重ね合わせ軽く押さえるだけで、面ファスナー４によりスカーフ本体２の両端同志を連結することができる。したがって、スカーフ１の着用に慣れない人、あるいは高齢者であっても、容易にかつ素早くスカーフ１を着用することができる。また、この時、人物１０の背後に飾り物７が位置するので、人物１０並びにマフラー１を見る周囲の人に品よく映るようになる。
【００２５】
以上、説明したように、本発明のスカーフ１は、一対の巻き付け部材３同士を面ファスナー４により連結するので、容易に着脱することができる。さらに、円形の面ファスナー４であるので、一対の巻き付け部材３同士を面ファスナー４により連結する際にお互いの角度を気にすることなく着用できる。そして、巻き付け部材３同士の角度に関係なく一定の接合力が得られる。
【符号の説明】
【００２６】
１：スカーフ
２：スカーフ本体
３：巻き付け部材
４：面ファスナー
７：飾り物
【図１】
0003221496.tif 000003
【図２】
0003221496.tif 000004
【図３】
0003221496.tif 000005
【図４】
0003221496.tif 000006